(57)【要約】【課題】筐体への操作ユニットの組み立ての容易化を図る。【解決手段】前後方向の幅Ｈ１を左右方向又は上下方向の幅Ｈ２よりも広い板状片からなるフレーム７の前面が筐体１に接触するのに伴って、フック部６が受部１０に嵌め込まれることによって、フレーム７が筐体１とフック部６とで前後方向に移動しないように支持されかつ外側支持体４で左右方向及び上下方向に移動しないように支持され、しかも、フレーム７の上辺部及び左右辺部が外側支持体４と内側支持体５とで挟まれ、フレーム７が筐体１に固定されるので、フレーム７が筐体１に取り付けられる場合、フレーム７が前後方向に撓むことなく、フレーム７の形状が安定し、筐体１への操作ユニット２の組み立てが容易になる。【選択図】図１
2010287392.tif 000002
【特許請求の範囲】
【請求項１】
複数の操作部を片支持体又は両支持体でフレームに連結してなる操作ユニットが筐体に取り付けられるスイッチ操作装置であって、フレームが前後方向の幅を左右方向の幅よりも広い板状片により構成され、筐体には外側支持体又は内側支持体が筐体から後方に突出して設けられ、外側支持体又は内側支持体の後縁部にはフック部が設けられ、フレームが外側支持体又は内側支持体とフック部と筐体とで支持されることによって、操作ユニットが筐体に取り付けられたことを特徴とするスイッチ操作装置。
【請求項２】
フレーム部の片支持体連結部分又は両支持体連結部分が外側支持体又は内側支持体で横方向に広がらないように支持されたことを特徴とする請求項１記載のスイッチ操作装置。
【請求項３】
外側支持体又は内側支持体がフレームの後縁部に連結されたことを特徴とする請求項１記載のスイッチ操作装置。
【請求項４】
片支持体の自由端部が前側に曲がって操作部の後面に連結されたことを特徴とする請求項１記載のスイッチ操作装置。
【発明の詳細な説明】
【技術分野】
【０００１】
本発明は、筐体への操作ユニットの組み立てが容易なスイッチ操作装置に関する。
【背景技術】
【０００２】
図８は、特許文献１で開示されたスイッチ操作装置を示す。図８において、スイッチ操作装置は筐体３１と操作ユニット３２とを備える。そして、操作ユニット３２における複数の操作部３３を有するフレーム３４の端部が筐体３１に設けられた複数対の係止部材３５で両側から挟まれることによって、操作ユニット３２が筐体３１に取り付けられる構造である。しかしながら、フレーム３４の前後方向の幅Ｈ３が横方向の幅Ｈ４よりも狭い（Ｈ３＜Ｈ４）。例えば、フレーム３４が筐体３１に取り付けられる場合、フレーム３４が前後方向に撓みやすく、フレーム３４の形状が安定せず、筐体３１への操作ユニット２の組み立てが困難になるという欠点がある。横方向の幅Ｈ４は、前後方向の幅Ｈ３に直交する方向の幅であって、筐体３１の後面と平行する方向の幅と同義語である。
【先行技術文献】
【特許文献】
【０００３】
【特許文献１】特開平９−２３１８５３号公報
【発明の概要】
【発明が解決しようとする課題】
【０００４】
発明が解決しようとする問題点は、筐体への操作ユニットの組み立てが困難であるという点である。
【課題を解決するための手段】
【０００５】
本発明に係るスイッチ操作装置は、前後方向の幅を横方向の幅よりも広い板状片からなるフレームが筐体に設けられた外側支持体又は内側支持体とフック部と筐体とで支持されることを最も主要な特徴とする。
【発明の効果】
【０００６】
本発明に係るスイッチ操作装置は、フレームが筐体に取り付けられる場合、フレームが前後方向に撓まず、フレームの形状が安定し、筐体への操作ユニットの組み立てが容易になるという利点がある。
【図面の簡単な説明】
【０００７】
【図１】実施の形態１のスイッチ操作装置を示す斜視図。
【図２】実施の形態１のスイッチ操作装置を示す分解図。
【図３】実施の形態１のスイッチ操作装置を示す背面図。
【図４】実施の形態２の操作ユニットを示す斜視図。
【図５】実施の形態３の操作ユニットを示す斜視図。
【図６】実施の形態４のスイッチ操作装置を示す外観図。
【図７】図６のＡ−Ａ線断面図。
【図８】従来のスイッチ操作装置を示す分解図。
【発明を実施するための形態】
【０００８】
本明細書における「前」、「後」、「左」、「右」、「上」、「下」の方向は、図１の状態にスイッチ操作装置を置いて矢印Ｓで示す前側から見た場合に特定される方向である。
【０００９】
「実施の形態１」
図２を参照し、実施の形態１に係るスイッチ操作装置の構造について説明する。スイッチ操作装置は、筐体１と操作ユニット２を備える。筐体１は、例えば、操作パネル又は容器のように、操作ユニット２を取り付ける部材であって、操作用孔３、外側支持体４、内側支持体５を備える。
【００１０】
操作用孔３は、前後方向への貫通孔として、筐体１に設けられる。外側支持体４は、操作用孔３よりも外側の位置から後方に突出する突起として、筐体１に設けられる。外側支持体４の後縁部には、フック部６が内側に突出する突起として設けられる。内側支持体５は、外側支持体４よりも内側の位置から後方に突出する突起として、筐体１に設けられる。
【００１１】
操作ユニット２は、フレーム７に複数の操作体８を片支持体９で連結した構造である。フレーム７は、板状片からなる環状な枠を構成する。フレーム７を構成する板状片の前後方向の幅Ｈ１は、横方向の幅Ｈ２よりも広い（Ｈ１＞Ｈ２）。横方向の幅Ｈ２は、前後方向の幅Ｈ１に直交する方向の幅であって、筐体１の後面と平行する方向の幅と同義語である。フレーム７には、受部１０が設けられる。受部１０は、操作ユニット２が筐体１に取り付けられる場合に筐体１のフック部６と嵌合する部分であって、フレーム７の後面から前方に窪む凹部として、フレーム７の後縁部に設けられる。
【００１２】
受部１０を避けた位置で、フレーム７の後縁部には、片支持体９の一端部が結合される。片支持体９の自由端部は、前側に曲がって操作体８の後面に結合された構造である。よって、片支持体９は、片持ち梁を曲げる時の反発力を利用したような板ばねとして機能する。各操作体８には、操作釦１１及び作動体１２が設けられる。操作釦１１は、操作する人によって前方から後方に押される部分であって、操作体８の前面から前方に突出する。作動体１２は、スイッチを作動する部分であって、操作体８の後面から後方に突出する。
【００１３】
図１及び図２を参照し、スイッチ操作装置の組み立て方について説明する。先ず、図１において、操作釦１１が操作用孔３に挿入されるように、操作ユニット２が筐体１の後方から筐体１に装着される。その場合、フレーム７の上辺部が上側に位置する外側支持体４と上側に位置する内側支持体５との間の隙間に取り込まれて当該外側支持体４及び内側支持体５に接触し、フレーム７の下辺部が下側に位置する外側支持体４の内面に接触し、フレーム７の左辺部が左側に位置する外側支持体４と左側に位置する内側支持体５との間の隙間に取り込まれて当該外側支持体４及び内側支持体５に接触し、フレーム７の右辺部が右側に位置する外側支持体４と右側に位置する内側支持体５との間の隙間に取り込まれて当該外側支持体４及び内側支持体５に接触する。
【００１４】
次に、図２及び図３に示すように、フレーム７の前面が筐体１に接触するのに伴って、フック部６が受部１０に嵌め込まれると、フレーム７が筐体１とフック部６とで前後方向に移動しないように支持されかつ外側支持体４で左右方向及び上下方向に移動しないように支持され、しかも、フレーム７の上辺部及び左右辺部が外側支持体４と内側支持体５とで挟まれ、フレーム７が筐体１に固定される。
【００１５】
このように、前後方向の幅Ｈ１を横方向の幅Ｈ２よりも広い板状片からなるフレーム７が外側支持体４とフック部６と筐体１とで支持される構造であるので、フレーム７が筐体１に取り付けられる場合、フレーム７が前後方向に撓むことなく、フレーム７の形状が安定し、筐体１への操作ユニット２の組み立てが容易になる。また、フレーム７が外側支持体４の側のフック部６で支持された構造であれば、フック部６が外側支持体４と内側支持体５とに設けられた構造に比べ、筐体１に外側支持体４およびフック部６を成形によって設ける成形型の構造が簡単になる。フック部６は、内側支持体５に設けてもよいが、その場合、内側支持体５を片支持体９と干渉しない部分にも設け、その内側支持体５の片支持体９と干渉しない部分にフック部６を設ける構造になる。
【００１６】
フレーム７の片支持体９を連結した部分１３（以下、フレーム７の片支持体連結部分１３と称する）が外側支持体４で外側に広がらない構造であるので、操作体８が押された場合、フレーム７の片支持体連結部分１３が外側に撓むことなく、片支持体９が適切に蓄勢して操作体８を押した人に適切な操作感を与える。
【００１７】
図４を参照し、実施の形態２に係る操作ユニット２の構造について説明する。操作ユニット２のフレーム７はスリット１４が環状の一部に設けられ、フレーム７の環状の一部が切り離された構造でもよい。
【００１８】
図５を参照し、実施の形態３に係る操作ユニット２の構造について説明する。操作ユニット２の操作体８がフレーム７に両支持体１５で両側から連結されている。この場合、両支持体１５が棒を捻じる時の反発力を利用したトーションバーのような捻じりばねとして機能する。従って、複数の作動体１２が両支持体１５に交差する方向で操作体８の後面に設けられ、人が操作体８の前面の一方の作動体１２の位置する側を押すと、両支持体１５が互いに同じ方向に捻じれ、当該一方の作動体１２が図外のスイッチを作動させることができ、また、人が操作体８の前面の他方の作動体１２の位置する側を押すと、両支持体１５が互いに同じ方向に捻じれ、当該他方の作動体１２が図外のスイッチを作動させることができる。フレーム７の両支持体１５を連結した部分１６（以下、フレーム７の両支持体連結部分１６と称する）が外側支持体４で外側に広がらないように外側から支持すれば、操作体８が押された場合、フレーム７の両支持体連結部分１６が外側に撓むことなく、両支持体１５が適切に蓄勢して操作体８を押した人に適切な操作感を与える。
【００１９】
図６及び図７を参照し、実施の形態４に係るスイッチ操作装置について説明する。先ず、図６において、筐体１には別の筐体１７が装着される。つまり、筐体１と別の筐体１７とが互いに組み合わせられてスイッチ操作装置の容器を構成する。当該容器には電源コード１８及び電源スイッチ１９が設けられる。
【００２０】
次に、図７において、筐体１と別の筐体１７とからなる容器の内部構造について説明する。筐体１と別の筐体１７とからなる容器の内部には、操作ユニット２、中間プレート２０、回路基板２１、スイッチ２２が設けられる。中間プレート２０は外側支持体４に設けられた固定部２３によって筐体１に固定される。中間プレート２０には、ガイド部２４が設けられる。ガイド部２４には、操作ユニット２の作動体１２が前後方向へ直線的移動可能に挿入される。回路基板２１は、合成樹脂板に電気回路を有するプリント基板により構成され、別の筐体１７にビスのような固定具２５で固定される。スイッチ２２は、回路基板２１の前面に固定される。スイッチ２２の電気的な入出力端子は、回路基板２１の電気回路に接続される。スイッチ２２の押釦のような可動部２６は、作動体１２と前後方向で離れて対向する。
【００２１】
図７において、操作釦１１が人によって矢印Ｘで示すように前方から後方に押されると、操作体８が片支持体９の弾力に抗して後方に移動し、作動体１２がガイド部２４に誘導されつつ後方に直線的に移動して可動部２６を押し動かし、可動体２５がスイッチ２２の内部に設けられたスイッチ機構を動かし、スイッチ機構がオン動作又はオフ動作する。この場合、図７に示すように、片支持体９の自由端部が前方に曲がって操作体８に連結された構造であれば、片支持体９の自由端部が前方に曲がらずに操作体８に連結された構造に比べ、片支持体９の動きに余裕ができて、可動体２５が前後方向に直線的に移動するのに都合がよくなる。操作釦１１から矢印Ｘで示す方向の外力が解除された状態において、内側支持体５が片支持体９に接触する構造であれば、操作釦１１の筐体１に対する位置が適切に確保される。
【００２２】
スイッチ２２は可動部２６を有する例えばマイクロスイッチのような接触型を例示したが、可動部２６を持たない例えば光センサーや磁気センサーのような非接触型でもよい。
【符号の説明】
【００２３】
１は筐体、２は操作ユニット、３は操作用孔、４は外側支持体、５は内側支持体、６はフック部、７はフレーム、８は操作体、９は片支持体、１０は受部、１１は操作釦、１２は作動体、１３は片支持体連結部分、１４はスリット、１５は両支持体、１６は両支持体連結部分、１７は別の筐体、１８は電源コード、１９は電源スイッチ、２０は中間プレート、２１は回路基板、２２はスイッチ、２３は固定部、２４はガイド部、２５は固定具、２６は可動部、２７乃至３０は欠番、３１は筐体、３２は操作ユニット、３３は操作部、３４はフレーム、３５は係止部材。
【図１】
2010287392.tif 000003
【図２】
2010287392.tif 000004
【図３】
2010287392.tif 000005
【図４】
2010287392.tif 000006
【図５】
2010287392.tif 000007
【図６】
2010287392.tif 000008
【図７】
2010287392.tif 000009
【図８】
2010287392.tif 000010